(57)【特許請求の範囲】
【請求項１】
筐体の前面開口部に取付けられた前面板と、この前面板に形成されたマガジン用の挿入口と、上記前面板に摺動可能に支持された開閉ドアと、上記前面板に摺動可能に支持された中間ドアと、上記開閉ドアの裏面左右の係止部に係合可能に上記中間ドアに形成された突片と、上記突片に上下動可能に保持された板バネと、前記板バネを上方に付勢する付勢片とを具備し、上記開閉ドアの摺動時にこの開閉ドアの上記係止部を上記中間ドアの突片に係合させてこの中間ドアを摺動させ、上記中間ドアの上記突片に保持された板バネの付勢力で上記開閉ドアの裏面を付勢することを特徴とするディスクチェンジャー装置。
【請求項２】
開閉ドアの係止部と中間ドアの突片との係合時に、上記開閉ドアの係止部に当接する突起片が一体に形成された板バネを具備してなる請求項１記載のディスクチェンジャー装置。
【発明の詳細な説明】
【０００１】
【発明の属する技術分野】
本発明は、マガジン内に収納された複数枚のディスクの内、所望のディスクを選択して再生するディスクチェンジャー装置に関する。
【０００２】
【従来の技術】
図１０は複数枚のコンパクトディスク（以下ディスクという）を収納するマガジンを示している。図１０において、１はマガジンの筐体であり、筐体１の一面は開口している。２は筐体１の内部の空間を仕切る仕切板であり、この仕切板２間にディスクが収納される。
【０００３】
図１１〜図１７は従来のディスクチェンジャー装置を示している。図１１〜図１７において、６はＣＤチェンジャー装置の筐体の前面に取付けられる前面板（エスカッション）であり、この前面板６には図１に示すマガジンが挿入される挿入口７が形成されている。この挿入口７の横幅は筐体の横幅の１／２より大きい。８は前面板６の後面に形成された取付け用の突片であり、この突片８を利用して前面板６が筐体の開口部に取付けられる。上記前面板６が取付けられる筐体内には、挿入口７から挿入されたマガジン内のディスクを引き出したり、マガジン内にディスクを収納するためのディスクローディング機構、マガジンから引き出されたディスクをターンテーブルに押圧するクランプ機構、タンテーブルを回転させる回転駆動機構、回転するディスクから情報を読取る光ピックアップ機構などが収納されている。９は前面板６の上面板６Ａ、下面板６Ｂの外面にほぼ直線状に形成されたガイド溝、１０，１１は前面板６の上面板６Ａ、下面板６Ｂの内面に形成されたガイド溝であり、ガイド溝１０，１１の右端部は前方向に湾曲している。１２は開閉ドアであり、この開閉ドア１２の上面板１２Ａおよび下面板１２Ｂの内面には、突起１３が形成されている。この突起１３は前面板６に形成されたガイド溝９に挿入されている。開閉ドア１２は上記ガイド溝９に案内されて左右に摺動可能である。１２Ｃ，１２Ｄは開閉ドア１２の左右の端部に形成された傾斜面であり、傾斜面１２Ｃ、１２Ｄの後面には係止部１４が一体に形成されている。１５は中間ドアであり、この中間ドア１５の上面板１５Ａ及び下面板１５Ｂの外面には、上記ガイド溝１０，１１に挿入される突起１６が形成されている。上記中間ドア１５は上記ガイド溝１０，１１に案内されて左右に摺動するものである。１７は中間ドア１５の右端に一体に形成された突片であり、この突片１７は前方に突出している。上記中間ドア１５が左方向に摺動した場合には、この中間ドア１５は前面板６の前板６Ｃの背面に入り、また中間ドア１５が右方向に摺動した場合には、この中間ドア１５は前方に移動し前板６Ｃとほぼ同一面になるものである。
【０００４】
次に上記従来例の動作について説明する。図１１に示す状態はマガジン用の挿入口７が開閉ドア１２と中間ドア１５とによって閉成されている状態である。この状態で開閉ドア１２を左方向に摺動させていくと、挿入口７が開いてくる。開閉ドア１２をさらに左方向に摺動させていくと、開閉ドア１２の右側の傾斜面１２Ｃの後面の係止部１４が中間ドア１５の突片１７に当たり、開閉ドア１２の左方向への摺動に伴って中間ドア１５も左方向に摺動し、中間ドア１５は前板６Ｃの背面に入り込み、また開閉ドア１２は前板６Ｃの前面側に移動する。図１５は挿入口７が完全に開成した状態を示している。図１５に示す状態で開閉ドア１２を右方向に摺動させていくと、開閉ドア１２の摺動途中で開閉ドア１２の傾斜面１２Ｄの後面の係止部１４が中間ドア１５の突片１７に当たり、開閉ドア１２の右方向の移動に伴って中間ドア１５も右方向に移動していく。開閉ドア１２がさらに右方向に摺動し挿入口７をほぼ閉成した状態になると、開閉ドア１２に駆動されて右方向に移動する中間ドア１５は前方に移動し前板６Ｃのほぼ同一面となる。
【０００５】
上記従来例では、マガジン用の挿入口７を開閉ドア１２と中間ドア１５とにより開閉する構成であるため、ディスクチェンジュヤー装置を小型化できるものである。
【０００６】
【発明が解決しようとする課題】
しかしながら、上記従来のディスクチェンジャー装置は、開閉ドア１２の突起１３をガイド溝９に挿入して開閉ドア１２を摺動させ、また中間ドア１５の突起１６をガイド溝１０，１１に挿入して中間ドア１５を摺動させるものであるため、ディスクチェンジャー装置に振動などが加わると、開閉ドア１２および中間ドア１５にガタが生じ異音が発生する問題があった。
【０００７】
本発明は、上記従来の問題点を解決するものであり、開閉ドア、中間ドアにガタが生じないディスクチェンジャー装置を簡単な構成で提供するものである。
【０００８】
【課題を解決するための手段】
本発明は、上記目的を達成するために、筐体の前面開口部に取付けられた前面板と、この前面板に形成されたマガジン用の挿入口と、上記前面板に摺動可能に支持された開閉ドアと、上記前面板に摺動可能に支持された中間ドアと、上記開閉ドアの裏面左右の係止部に係合可能に上記中間ドアに形成された突片と、上記突片に上下動可能に保持された板バネと、前記板バネを上方に付勢する付勢片とを具備し、上記開閉ドアの摺動時にこの開閉ドアの上記係止部を上記中間ドアの突片に係合させてこの中間ドアを摺動させ、上記中間ドアの上記突片に保持された板バネの付勢力で上記開閉ドアの裏面を付勢するものであり、開閉ドア、中間ドアのガタの発生を防止することができるものである。
【０００９】
【発明の実施の形態】
本発明の請求項１記載の発明は、筐体の前面開口部に取付けられた前面板と、この前面板に形成されたマガジン用の挿入口と、上記前面板に摺動可能に支持された開閉ドアと、上記前面板に摺動可能に支持された中間ドアと、上記中間ドアに形成され上記開閉ドアの裏面左右の係止部に係合可能な突片と、上記突片に上下動可能に保持された板バネとを具備し、上記開閉ドアの摺動時にこの開閉ドアの上記係止部を上記中間ドアの突片に係合させてこの中間ドアを摺動させ、上記中間ドアの上記突片に保持された板バネの付勢力で上記開閉ドアの裏面を付勢することを特徴とするものであり、突片に保持された板バネの付勢力が開閉ドアと中間ドアとを互いに離反する方向に作用するため、開閉ドア、中間ドアのガタの発生が防止できるものである。
【００１０】
本発明の請求項２記載の発明は、開閉ドアの係止部と中間ドアの突片との係合時に、上記開閉ドアの係止部に当接する突起片が一体に形成された板バネを具備したことを特徴とするものであり、開閉ドアの係止部と中間ドアの突片とが係合する際に、中間ドアに保持された板バネの突起片が開閉ドアの係止部に当接するため、開閉ドアがその開閉方向に付勢されるため、開閉方向のガタの発生が防止されるものである。
【００１１】
以下、本発明の実施の形態について、図１〜図９とともに説明する。
（実施の形態１）
本実施の形態は前記従来例の中間ドア１５の突片１７に板バネを設けることにより、開閉ドア１２、中間ドア１５のガタを防止するものである。図１は本実施の形態の要部の断面を示している。
【００１２】
図１において、６Ｃは前面板（エスカッション）の前板、８は前面板６の後面に形成された取付け用の突片であり、この突片８を利用して前面板６が筐体の開口部に取付けられる。９は前面板６の上面板６Ａ、下面板６Ｂの外面にほぼ直線状に形成されたガイド溝、１０，１１は前面板６の上面板６Ａ、下面板６Ｂの内面に形成されたガイド溝、１２は開閉ドアであり、この開閉ドア１２の上面板１２Ａおよび下面板１２Ｂの内面には、突起１３が形成されている。この突起１３は前面板６に形成されたガイド溝９に挿入されている。１４は開閉ドア１２の左右の傾斜面１２Ｃ，１２Ｄの後面に形成された係止部である。上記開閉ドア１２は上記ガイド溝９に案内されて左右に摺動可能である。１５は中間ドアであり、この中間ドア１５の上面板１５Ａ及び下面板１５Ｂの外面には、上記ガイド溝１０，１１に挿入される突起１６が形成されている。
【００１３】
上記中間ドア１５は上記ガイド溝１０，１１に案内されて左右に摺動するものである。１７は中間ドア１５の右端に一体に形成された突片であり、この突片１７は前方に突出している。上記中間ドア１５が左方向に摺動した場合には、この中間ドア１５は前面板６の前板６Ｃの背面に入り、また中間ドア１５が右方向に摺動した場合には、この中間ドア１５は前方に移動し前板６Ｃとほぼ同一面になるものである。
【００１４】
図２〜図５は上記中間ドア１５を示している。図２〜図５において、１８は中間ドア１５の突片１７の前後に形成されたスリットであり、このスリット１８内には突起１９が形成されている。２０は中間ドア１５の突片１７の側部に形成された傾斜面であり、この傾斜面２０は中間ドア１５の表面に対して突片１７に近づくほど深くなるように形成されている。
【００１５】
図６〜図８は上記突片１７に保持されるＵ字状の板バネ２１を拡大して示している。図６〜図８において、２１Ａ、２１Ｂは折曲げ部２１Ｃで連結された板バネ本体、２１Ｄ，２１Ｅは板バネ本体２１Ａ、２１Ｂに形成された突起片、２１Ｆ，２１Ｇは板バネ本体２１Ａの側部に一体に形成された付勢片である。２１Ｈは板バネ本体２１Ａ，２１Ｂの下部に形成された抜止用凸部である。
【００１６】
上記板バネ２１を突片１７に被せるように挿入すると、板バネ本体２１Ａ，２１Ｂの下部がスリット１８に挿入され、抜止用凸部２１Ｈがスリット１８内の突起１９に係止して抜止めされる。板バネ２１の下部がスリット１８内に係止された状態では、付勢片２１Ｆ，２１Ｇは中間ドア１５の傾斜面２０に当接し、この付勢片２１Ｆ，２１Ｇの弾性力により板バネ２１を上方に付勢するように作用する。付勢片２１Ｆ，２１Ｇによる板バネ２１の上方への付勢は抜止用凸部２１Ｈがスリット１８内の突起１９に当接することにより規制される。
【００１７】
図１に示すように、中間ドア１５の突片１７に保持された板バネ２１の折曲げ部２１Ｃは開閉ドア１２の裏面に形成されたリブ２２に常時当接し、板バネ２１の付勢力により開閉ドア１２は前方に押圧される。このように中間ドア１５の突片１７に保持された板バネ２１の付勢力が開閉ドア１２と中間ドア１５とを互いに離反するように作用するため、開閉ドア１２および中間ドア１５のガタの発生が防止されるものである。図９は開閉ドア１２と中間ドア１５とによりマガジンの挿入口７を閉成した状態を示している。
【００１８】
このドアの閉成状態においては、板バネ２１に形成された突起片２１Ｄが開閉ドア１２の傾斜面１２Ｄの裏面の係止部１４に当接するため、突起片２１Ｄの付勢力により開閉ドア１２が開閉方向に付勢され、開閉方向のガタの発生が防止されるものである。一方、開閉ドア１２、中間ドア１５を開成した場合、板バネ２１の突起片２１Ｅが開閉ドア１２の傾斜面１２Ｃの裏面の係止部１４に当接するため、突起片２１Ｅの付勢力により開閉ドア１２が開閉方向に付勢され、開閉方向のガタの発生が防止されるものである。
【００１９】
このように、、上記実施の形態によれば、中間ドア１５の突片１７に保持した板バネ２１により前後方向および開閉方向のガタの発生を防止できるものである。
【００２０】
【発明の効果】
以上のように本発明は、中間ドアに板バネと板バネを上方に付勢する付勢片とを設け、開閉ドアの摺動時にこの開閉ドアの係止部を上記中間ドアに形成された突片に係合させてこの中間ドアを摺動させ、上記中間ドアの上記突片に保持された板バネの付勢力で上記開閉ドアの裏面を付勢するものであり、開閉ドア、中間ドアのガタの発生を防止することができるという利点を有する。
【図面の簡単な説明】
【図１】本発明の一実施の形態におけるディスクチェンジャー装置の断面図
【図２】同実施の形態の中間ドアの正面図
【図３】同実施の形態の中間ドアの側面図
【図４】同実施の形態の中間ドアの側断面図
【図５】同実施の形態の中間ドアの断面図
【図６】同実施の形態の板バネの正面図
【図７】同実施の形態の板バネの上面図
【図８】同実施の形態の板バネの側面図
【図９】同実施の形態の要部の断面図
【図１０】ディスクチェンジャー装置に使用するマガジンの斜視図
【図１１】従来のディスクチェンジャー装置の正面図
【図１２】同従来例の側面図
【図１３】同従来例の上面図
【図１４】同従来例の断面図
【図１５】同従来例の正面図
【図１６】同従来例の断面図
【図１７】同従来例の断面図
【符号の説明】
６  前面板
７  挿入口
９  ガイド溝
１０，１１  ガイド溝
１２  開閉ドア
１３  突起
１４  係止部
１５  中間ドア
１６  突起
１７  突片
１８  スリット
１９  突起
２０  傾斜面
２１  板バネ
２１Ａ，２１Ｂ  板バネ本体
２１Ｃ  折曲げ部
２１Ｄ，２Ｅ  突起片
２１Ｆ，２１Ｇ  付勢片
２１Ｈ  抜止め用凸部
【図１】
0003570073.tif 000002
【図２】
0003570073.tif 000003
【図３】
0003570073.tif 000004
【図４】
0003570073.tif 000005
【図５】
0003570073.tif 000006
【図６】
0003570073.tif 000007
【図７】
0003570073.tif 000008
【図８】
0003570073.tif 000009
【図９】
0003570073.tif 000010
【図１０】
0003570073.tif 000011
【図１１】
0003570073.tif 000012
【図１２】
0003570073.tif 000013
【図１３】
0003570073.tif 000014
【図１４】
0003570073.tif 000015
【図１５】
0003570073.tif 000016
【図１６】
0003570073.tif 000017
【図１７】
0003570073.tif 000018